(57)【要約】【課題】簡単な構造で穿刺深さを調整することが可能な穿刺具を提供する。【解決手段】穿刺具１０は、開口部１９を有するハウジング１２と、開口部１９から突出可能な穿刺針３４と、を備える。ハウジング１２の開口部１９の周囲又は近傍に、穿刺針３４に対する角度が互いに異なり、皮膚Ｓに当接させる複数の当接面２０ａ〜２０ｃが設けられる。【選択図】図１
2015070894.tif 000002
【特許請求の範囲】
【請求項１】
開口部を有するハウジングと、
前記開口部から突出可能な穿刺針と、を備え、
前記ハウジングの前記開口部の周囲又は近傍に、前記穿刺針に対する角度が互いに異なり、皮膚に当接させる複数の当接面が設けられる、
ことを特徴とする穿刺具。
【請求項２】
請求項１記載の穿刺具において、
前記複数の当接面は、前記開口部が設けられた第１の当接面と、前記第１の当接面に隣接する第２の当接面と、前記第２の当接面とは異なる位置で前記第１の当接面に隣接する第３の当接面とを有する、
ことを特徴とする穿刺具。
【請求項３】
請求項２記載の穿刺具において、
前記第２及び第３の当接面は、前記穿刺具の基端方向に向かうにつれて前記穿刺針の軸線から遠くなるように傾斜する傾斜面である、
ことを特徴とする穿刺具。
【請求項４】
請求項２又は３記載の穿刺具において、
前記第２及び第の３当接面は、前記第１の当接面を基準として互いに反対側に設けられる、
ことを特徴とする穿刺具。
【請求項５】
請求項１〜４のいずれか１項に記載の穿刺具において、
前記ハウジングには、前記複数の当接面に応じた前記穿刺針の穿刺深さを示す構造が設けられる、
ことを特徴とする穿刺具。
【発明の詳細な説明】
【技術分野】
【０００１】
本発明は、皮膚を穿刺して出血させるための穿刺具に関する。
【背景技術】
【０００２】
近年、糖尿病患者の増加に伴い、日常の血糖値の変動を患者自身がモニターする自己血糖測定が推奨されている。血糖値の測定には、血液中のブドウ糖量を自動的に測定する血糖測定装置が用いられる。この測定に先立ち、患者は、自分の血液を採取する必要がある。
【０００３】
血液を採取する方法としては、穿刺針を備えた穿刺具により指先等の皮膚を穿刺した後、その穿刺部周辺を指等で圧迫して血液を絞り出すことが行われる（例えば、下記特許文献１、２参照）。
【先行技術文献】
【特許文献】
【０００４】
【特許文献１】特許第４１８２４３１号公報
【特許文献２】特表２００７−５３６００８号公報
【発明の概要】
【発明が解決しようとする課題】
【０００５】
ところで、従来の穿刺具においては、大きな痛みを与えないようにするため、あるいは皮膚からの出血量に過不足を生じないようにする観点から、皮膚に対する穿刺針の穿刺深さを調整するための機構（穿刺深さ調整機構）を備えたものがある（例えば、特許文献１参照）。
【０００６】
しかしながら、穿刺深さ調整機構を備えた従来の穿刺具では、穿刺針を収容するハウジングに対して別部品を付加することによって穿刺深さ調整機構が実現されており、複雑な構造となっている。特に、一回使ったら捨てるディスポーザブルタイプの穿刺具の場合には製造コストができるだけ低廉であることが望まれるところ、穿刺深さ調整機構を実現するために別部品を付加することは、製造コストの増加を招くという問題がある。
【０００７】
本発明は上記の事情に鑑みてなされたものであり、簡単な構造で穿刺深さを調整することが可能な穿刺具を提供することを目的とする。
【課題を解決するための手段】
【０００８】
上記の目的を達成するため、本発明の穿刺具は、開口部を有するハウジングと、前記開口部から突出可能な穿刺針と、を備え、前記ハウジングの前記開口部の周囲又は近傍に、前記穿刺針に対する角度が互いに異なり、皮膚に当接させる複数の当接面が設けられる、ことを特徴とする。
【０００９】
上記の構成によれば、使用する当接面によって、皮膚に穿刺される穿刺針の穿刺深さを調整することができる。このため、穿刺深さを調整するための別途の部材をハウジングに対して付加することなく、互いに角度が異なる複数の当接面をハウジングに設けるという簡単な構成で、穿刺深さ調整機能を備えた穿刺具を実現することができる。
【００１０】
上記の穿刺具において、前記複数の当接面は、前記開口部が設けられた第１の当接面と、前記第１の当接面に隣接する第２の当接面と、前記第２の当接面とは異なる位置で前記第１の当接面に隣接する第３の当接面とを有してもよい。この構成によれば、第１〜第３の当接面を有することにより、穿刺深さを３段階で調整することができる。
【００１１】
上記の穿刺具において、前記第２及び第３の当接面は、前記穿刺具の基端方向に向かうにつれて前記穿刺針の軸線から遠くなるように傾斜する傾斜面であってもよい。この構成によれば、ハウジングを皮膚に対して傾けた状態で当接させることにより穿刺深さを簡単に調整することができる。
【００１２】
上記の穿刺具において、前記第２及び第３の当接面は、前記第１の当接面を基準として互いに反対側に設けられてもよい。この構成によれば、同一平面内で、すなわち二次元的にハウジングの姿勢（皮膚に対する角度）を変えることで穿刺深さの調整を行うことができるため、操作性に優れる。
【００１３】
上記の穿刺具において、前記ハウジングには、前記複数の当接面に応じた前記穿刺針の穿刺深さを示す構造が設けられてもよい。この構成によれば、穿刺具の使用時にユーザが穿刺針の穿刺深さを容易に選択できる。
【発明の効果】
【００１４】
本発明の穿刺具によれば、簡単な構造で穿刺深さを調整することができる。
【図面の簡単な説明】
【００１５】
【図１】本発明の一実施形態に係る穿刺具の縦断面図である。
【図２】図１に示す穿刺具のハウジングの先端部を示す斜視図である。
【図３】図１におけるＸ方向から見た穿刺具を示す図である。
【図４】図４Ａは、第１の当接面を皮膚に当接させた状態での穿刺を説明する図であり、図４Ｂは、第２の当接面を皮膚に当接させた状態での穿刺を説明する図であり、図４Ｃは、第３の当接面を皮膚に当接させた状態での穿刺を説明する図である。
【図５】変形例に係るハウジングの先端部を示す斜視図である。
【発明を実施するための形態】
【００１６】
以下、本発明に係る穿刺具について好適な実施形態を挙げ、添付の図面を参照しながら説明する。
【００１７】
図１は、本発明の一実施形態に係る穿刺具１０を示す縦断面図である。この穿刺具１０は、採血対象者の皮膚を穿刺して出血を得るための装置である。図１に示すように、本実施形態に係る穿刺具１０は、穿刺具１０の本体を構成するハウジング１２と、穿刺針３４を有する針ユニット１４と、針ユニット１４に取り付けられた保護キャップ１６と、ハウジング１２に設けられたプッシュロッド１８とを有する。
【００１８】
以下の説明において、「軸方向」は、穿刺針３４の中心軸線Ｃ（以下、「軸線Ｃ」と呼ぶ）の延在方向を意味する。
【００１９】
ハウジング１２は、内腔１３を有する中空構造である。図１及び図２に示すように、ハウジング１２の先端には、穿刺針３４が突出可能な開口部１９が設けられる。なお、図２では、ハウジング１２から保護キャップ１６を取り外した状態を示している。
【００２０】
ハウジング１２において、開口部１９の周囲又は近傍には、穿刺針３４に対する角度が互いに異なり、採血対象者の皮膚に当接させる複数の当接面２０が設けられる。本実施形態において、具体的には、複数の当接面２０は、第１〜第３の当接面２０ａ〜２０ｃを有する。
【００２１】
第１の当接面２０ａは、開口部１９が設けられた当接面２０である。第１の当接面２０ａは、図示例では、穿刺針３４の軸線Ｃに対して垂直な平面であり、皮膚に当接させるのに適度な面積を有する。なお、第１の当接面２０ａは、穿刺針３４の軸線Ｃに対して傾斜した平面であってもよい。
【００２２】
第２及び第３の当接面２０ｂ、２０ｃは、第１の当接面２０ａを基準として互いに反対側に設けられる。第２の当接面２０ｂは、第１の当接面２０ａに連なっており、穿刺針３４の軸線Ｃに対して傾斜した平面であり、皮膚に当接させるのに適度な面積を有する。具体的には、第２の当接面２０ｂは、穿刺具１０の基端方向に向かうにつれて軸線Ｃから遠くなるように傾斜する傾斜面である。
【００２３】
第３の当接面２０ｃは、第２の当接面２０ｂとは反対側で第１の当接面２０ａに連なっており、穿刺針３４の軸線Ｃに対して傾斜した平面であり、皮膚に当接させるのに適度な面積を有する。具体的には、第３の当接面２０ｃは、穿刺具１０の基端方向に向かうにつれて軸線Ｃから遠くなるように傾斜する傾斜面である。
【００２４】
本実施形態では、穿刺針３４の軸線Ｃに対する第３の当接面２０ｃの傾斜角度θ３は、穿刺針３４の軸線Ｃに対する第２の当接面２０ｂの傾斜角度θ２よりも小さい。開口部１９からの穿刺針３４の最大突出長や第１の当接面２０ａの大きさにもよるが、第２の当接面２０ｂの傾斜角度θ２は、例えば、４０〜８０°に設定され、第３の当接面２０ｃの傾斜角度θ３は、例えば、２０〜６０°に設定される。
【００２５】
第１〜第３の当接面２０ａ〜２０ｃの面積は、互いに同じでもよく、異なっていてもよい。
【００２６】
このように穿刺具１０のハウジング１２には、穿刺針３４に対する角度が互いに異なる複数の当接面２０（第１〜第３の当接面２０ａ〜２０ｃ）が設けられるため、穿刺操作の際に使用する当接面２０によって、皮膚に穿刺される穿刺針３４の穿刺深さを調整することができるようになっている。詳細は後述するが、第１の当接面２０ａを使用するとき穿刺深さが最も深く、第３の当接面２０ｃを使用するとき穿刺深さが最も浅く、第２の当接面２０ｂを使用するとき穿刺深さが第１の当接面２０ａと第３の当接面２０ｃの各穿刺深さの間の深さとなる。
【００２７】
穿刺具１０の使用時にユーザが穿刺針３４の穿刺深さを容易に選択できるように、ハウジング１２には穿刺針３４の穿刺深さを示す構造が設けられてもよい。本実施形態では、図１及び図３に示すように、穿刺深さを示す構造として、複数の指標２２ａ〜２２ｃが設けられる。なお、図３は、図１の矢印Ｘ方向（穿刺具１０の基端側）から見た穿刺具１０を示している。図示例の各指標２２ａ〜２２ｃは、ハウジング１２の外面から突出したリブ状であるが、溝状であってもよく、あるいは着色した部分であってもよい。
【００２８】
図３に示すように、穿刺具１０を基端側から見たときに、第１の当接面２０ａに対応する位置に、最も長い指標２２ａが設けられ、第３の当接面２０ｃに対応する位置に、最も短い指標２２ｃが設けられ、第２の当接面２０ｂに対応する位置に、最も長い指標と最も短い指標の間の長さの指標２２ｂが設けられる。このように、指標２２ａ〜２２ｃは、第１〜第３の当接面２０ａ〜２０ｃを使用した際の穿刺針３４の穿刺深さの大小関係に対応して長さが設定されている。
【００２９】
なお、穿刺深さを示す構造は、上記の指標２２ａ〜２２ｃに限られず、例えば、第２の当接面２０ｂが設けられた側のハウジング１２の側面の形状と、第３の当接面２０ｃが設けられた側のハウジング１２の側面の形状とを異ならせることによって穿刺深さの違いが分かる構造としてもよい。
【００３０】
図１に示すように、ハウジング１２の上面には四角孔２４が設けられる。ハウジング１２内には、先端部から後方に向かって軸方向に延在する筒体２６と、軸線Ｃに対して傾斜する第１カム面２８が設けられる。筒体２６には、軸方向に連通するハブ通路３０及び針通路３２が設けられる。針通路３２の先端で開口部１９が開口する。
【００３１】
針ユニット１４は、刃先３５（針先）を有する穿刺針３４と、該穿刺針３４を保持するハブ３６とからなる。穿刺針３４は、皮膚を穿刺するためのものであり、中実構造又は中空構造に構成される。穿刺針３４の構成材料は特に限定されないが、例えば、ステンレス鋼、アルミニウム、チタンのような金属又はポリフェニレンサルファイドのような硬質樹脂で構成されている。
【００３２】
穿刺針３４は、外径が例えば０．１〜１．０ｍｍ程度であり、穿刺の衝撃に耐え得る強度と人体組織への侵襲が小さくなるように設計されている。図１に示す初期状態では、穿刺針３４の先端は針通路３２に挿入される。ハブ３６は、筒体２６のハブ通路３０及び針通路３２に軸方向に変位可能に挿入される。
【００３３】
保護キャップ１６は、針通路３２に挿入されて穿刺針３４を覆う細い筒である。保護キャップ１６は、ハウジング１２から適度に突出している。
【００３４】
ハブ３６の基端部を構成するタグ３６ｂと筒体２６との間には、コイルスプリング３８が設けられている。ハブ３６の先端部を構成する小径部３６ａがコイルスプリング３８に挿通される。コイルスプリング３８の前端は筒体２６に固定され、後端はタグ３６ｂに固定される。
【００３５】
プッシュロッド１８は、穿刺針３４の軸線Ｃに対して直角方向に移動可能に設けられる。プッシュロッド１８の下端には、軸線Ｃに対して傾斜した第２カム面４０が設けられる。プッシュロッド１８の前面で第２カム面４０よりもやや上方には、凹部４２が設けられる。プッシュロッド１８の後面の下端寄りの箇所には、弾性アーム４４が接続される。弾性アーム４４は薄板状で、適度な弾性を有し、板ばねとしての機能を有する。
【００３６】
穿刺具１０の構成要素のうち、穿刺針３４及びコイルスプリング３８以外の構成要素は、樹脂（例えばポリプロピレンやポリエチレン等）又は金属で構成可能である。
【００３７】
上記のように構成される穿刺具１０を用いて皮膚を穿刺する場合には、まず、ハウジング１２及び穿刺針３４から保護キャップ１６を取り外す。次いで、ハウジング１２を保持して複数の当接面２０（第１〜第３の当接面２０ａ〜２０ｃ）のいずれか１つを皮膚に当接させ、プッシュロッド１８を内腔１３内に向かって押し込む。プッシュロッド１８が押し下げられることに伴って、弾性アーム４４はプッシュロッド１８側に弾性変形する。
【００３８】
そして、弾性アーム４４のアーム端部４４ａが第１カム面２８の上端部２８ａを通過すると、弾性アーム４４は第１カム面２８に摺接しながら第１カム面２８を押圧し、プッシュロッド１８がさらに下方に移動するように弾性付勢する。これによりプッシュロッド１８は勢いよく下方に移動することになる。
【００３９】
このとき、第２カム面４０は、プッシュロッド１８が下方に押し下げられることによりタグ３６ｂの後端部に摺接して、針ユニット１４を軸方向（先端方向）に押し出す。また、針ユニット１４の前方への移動に伴って、コイルスプリング３８が圧縮される。針ユニット１４が前進することにより、穿刺針３４の先端は開口部１９から突出して皮膚に穿刺される。針ユニット１４は、第２カム面４０の上端にタグ３６ｂが達するまで前進して最大穿刺深さに至る。
【００４０】
針ユニット１４が最大穿刺深さに至った後、圧縮されていたコイルスプリング３８が伸びて針ユニット１４を後方に押し戻す。これにより、穿刺針３４は皮膚から素早く抜け、穿刺針３４は針通路３２内に収納される。一方、プッシュロッド１８が下方に移動して、やがて移動終了位置に達すると、タグ３６ｂは凹部４２に係合する。
【００４１】
このようにして穿刺が簡便に行われ、皮膚からは適量の血が出るので、所定の血糖計等により血液成分の計測を行う。使用後の穿刺具１０は廃棄する。このように、図１に示す穿刺具１０は、一回使ったら捨てるディスポーザブルタイプに構成されている。
【００４２】
なお、上述した穿刺具１０のうち、穿刺針３４以外の構成、すなわち初期状態で穿刺針３４を収納し、穿刺開始操作によって穿刺針３４を突出させ、突出直後に穿刺針３４を再収納する機構部分（本体）は、図１に示した構成に限られない。例えば、初期状態で弾性エネルギが蓄えられた弾性部材の弾発力に抗して穿刺針３４の突出が規制され、所定の穿刺開始操作をすると穿刺針３４が突出するように構成されてもよい。
【００４３】
あるいは、穿刺針３４を有する穿刺チップが、穿刺装置本体に着脱可能に構成され、穿刺チップが装着された状態で穿刺装置本体に設けられた穿刺ボタンを押すと、穿刺針３４が突出するように構成されてもよい。この構成の場合、穿刺チップは一回使ったら捨て、穿刺装置本体は何度も使用する、という使用形態となる。
【００４４】
上述したように、本実施形態では、ハウジング１２の先端部に、穿刺針３４に対する角度が互いに異なる複数の当接面２０（第１〜第３の当接面２０ａ〜２０ｃ）が設けられる。このため、以下に説明するように、使用する当接面２０によって、皮膚に穿刺される穿刺針３４の穿刺深さを調整することができる。
【００４５】
図４Ａに示すように、第１の当接面２０ａを皮膚Ｓに当接させた状態で穿刺を行う場合、皮膚Ｓに対する穿刺針３４の穿刺深さは、開口部１９からの穿刺針３４の最大突出長と略等しい。穿刺具１０では、第１の当接面２０ａを使用した場合に最も深い穿刺深さが得られる。第１の当接面２０ａを使用した場合の皮膚Ｓに対する穿刺深さＬ１は、例えば、０．１８〜１．８ｍｍである。
【００４６】
図４Ｂに示すように、第２の当接面２０ｂを皮膚Ｓに当接させた状態で穿刺を行う場合、第２の当接面２０ｂの傾斜によって、開口部１９が皮膚Ｓの表面から離間した状態となるため、皮膚Ｓに対する穿刺針３４の穿刺深さＬ２は、図４Ａに示す穿刺深さＬ１よりも浅い。第２の当接面２０ｂを使用した場合の皮膚Ｓに対する穿刺深さＬ２は、例えば、０．３〜１．５ｍｍである。
【００４７】
図４Ｃに示すように、第３の当接面２０ｃを皮膚Ｓに当接させた状態で穿刺を行う場合、第３の当接面２０ｃの傾斜によって、開口部１９が皮膚Ｓの表面から離間した状態となる。穿刺針３４の軸線Ｃに対する第３の当接面２０ｃの傾斜角度θ３は、穿刺針３４の軸線Ｃに対する第２の当接面２０ｂの傾斜角度θ２よりも小さいため（図１参照）、開口部１９と皮膚Ｓとの距離は、第２の当接面２０ｂを使用した場合よりも大きい。この結果、皮膚Ｓに対する穿刺針３４の穿刺深さＬ３は、図４Ｂに示す穿刺深さＬ２よりも浅い。第３の当接面２０ｃを使用した場合の皮膚Ｓに対する穿刺深さＬ３は、例えば、０．１〜１．３ｍｍである。
【００４８】
以上説明したように、本実施形態に係る穿刺具１０によれば、穿刺針３４に対する角度が互いに異なる複数の当接面２０（第１〜第３の当接面２０ａ〜２０ｃ）が設けられるため、使用する当接面２０によって、皮膚Ｓに穿刺される穿刺針３４の穿刺深さを調整することができる。このため、穿刺深さを調整するための別途の部材をハウジング１２に対して付加することなく、互いに角度が異なる複数の当接面２０をハウジング１２に設けるという簡単な構成で、穿刺深さ調整機能を備えた穿刺具１０を実現することができる。
【００４９】
また、本実施形態の場合、複数の当接面２０は、開口部１９が設けられた第１の当接面２０ａと、第１の当接面２０ａに隣接する第２の当接面２０ｂと、第２の当接面２０ｂとは異なる位置で第１の当接面２０ａに隣接する第３の当接面２０ｃとを有する。この構成によれば、穿刺深さを３段階で調整することができる。
【００５０】
本実施形態の場合、第２及び第３の当接面２０ｂ、２０ｃは、穿刺具１０の基端方向に向かうにつれて穿刺針３４の軸線Ｃから遠くなるように傾斜する傾斜面である。この構成によれば、ハウジング１２を皮膚Ｓに対して傾けた状態で当接させることにより穿刺深さを簡単に調整することができる。
【００５１】
特に、本実施形態の場合、第２及び第３の当接面２０ｂ、２０ｃは、第１の当接面２０ａを基準として互いに反対側に設けられる。この構成によれば、同一平面内で、すなわち二次元的にハウジング１２の姿勢（皮膚Ｓに対する角度）を変えることで穿刺深さの調整を行うことができるため、操作性に優れる。
【００５２】
さらに、本実施形態の場合、ハウジング１２には、複数の当接面２０に応じた穿刺針３４の穿刺深さを示す構造として、互いに識別可能な複数の指標２２ａ〜２２ｃ（図１及び図３参照）が設けられる。この構成によれば、穿刺具１０の使用時にユーザが穿刺針３４の穿刺深さを容易に選択することができる。
【００５３】
上述した実施形態では、ハウジング１２に複数の当接面２０として、第１〜第３の当接面２０ａ〜２０ｃが設けられるが、当接面２０の数は３つに限られない。例えば、図５に示す変形例に係るハウジング１２ａのように、５つの当接面５０が設けられてもよい。具体的には、ハウジング１２ａは、開口部１９が形成された第１の当接面５０ａと、第１の当接面５０ａの周囲に形成された第２〜第５の当接面５０ｂ〜５０ｅとを有する。
【００５４】
第１の当接面５０ａは、穿刺針３４の軸線Ｃに対して垂直な平面である。第２〜第５の当接面５０ｂ〜５０ｅの各々は、第１の当接面５０ａに連なっており、穿刺針３４の軸線Ｃに対して傾斜した平面であって、穿刺具１０の基端方向に向かうにつれて軸線Ｃから遠くなるように傾斜する傾斜面である。第２の当接面５０ｂと第３の当接面５０ｃは、第１の当接面５０ａを基準として互いに反対側に設けられる。第４の当接面５０ｄと第５の当接面５０ｅは、軸線Ｃ周りの周方向位置で第２の当接面５０ｂと第３の当接面５０ｃとの間の位置であって、第１の当接面５０ａを基準として互いに反対側に設けられる。
【００５５】
穿刺針３４の軸線Ｃに対する第２〜第５の当接面５０ｂ〜５０ｅの各傾斜角度は、すべて異なっていてもよい。穿刺針３４の軸線Ｃに対する第２〜第５の当接面５０ｂ〜５０ｅの各傾斜角度がすべて異なる場合、第１の当接面５０ａを使用して穿刺する際の最も深い穿刺深さを含めて、穿刺深さを５段階で調整することができる。
【００５６】
例えば、第２の当接面５０ｂ、第３の当接面５０ｃ、第４の当接面５０ｄ、第５の当接面５０ｅの順に、穿刺針３４の軸線Ｃに対する傾斜角度が大きく設定されてもよい。この場合、第２〜第５の当接面５０ｂ〜５０ｅの中では、第２の当接面５０ｂを皮膚Ｓに当接させて穿刺を行う場合が最も穿刺深さが深く、第５の当接面５０ｅを皮膚Ｓに当接させて穿刺を行う場合が最も穿刺深さが浅い。
【００５７】
あるいは、穿刺針３４の軸線Ｃに対する第２の当接面５０ｂと第３の当接面５０ｃの傾斜角度が同じに設定され、穿刺針３４の軸線Ｃに対する第４の当接面５０ｄと第５の当接面５０ｅの傾斜角度が同じに設定され、第２及び第３の当接面５０ｂ、５０ｃの前記傾斜角度と、第４及び第５の当接面５０ｄ、５０ｅの前記傾斜角度とが異なっていてもよい。この場合、第１の当接面５０ａを使用して穿刺する際の最も深い穿刺深さを含めて、穿刺深さを３段階で調整することができる。
【００５８】
上記において、本発明について好適な実施形態を挙げて説明したが、本発明は前記実施形態に限定されるものではなく、本発明の要旨を逸脱しない範囲において、種々の改変が可能なことは言うまでもない。
【符号の説明】
【００５９】
１０…穿刺具                        １２、１２ａ…ハウジング
１９…開口部                        ２０、５０…当接面
２０ａ、５０ａ…第１の当接面        ２０ｂ、５０ｂ…第２の当接面
２０ｃ、５０ｃ…第３の当接面        ３４…穿刺針
５０ｄ…第４の当接面                ５０ｅ…第５の当接面
【図１】
2015070894.tif 000003
【図２】
2015070894.tif 000004
【図３】
2015070894.tif 000005
【図４】
2015070894.tif 000006
【図５】
2015070894.tif 000007